(57)【要約】      （修正有）【課題】高い送風性能が得られ、且つコスト低減を図ることもできる空気調和機の室外機を提供する。【解決手段】空気調和機の室外機１は、底ベース２と、この底ベース２と対向するように底ベース２の上方に配置されたシュラウド３と、底ベース２とシュラウド３との間に配置された熱交換器４と、底ベース２の上方に配置されプロペラファン７１及びモーター７２を有する送風機７とを備える。また、プロペラファン７１は、羽根部７１aと、この羽根部７１aの外周を周方向に囲むように羽根部７１aの外周に取り付けられたベルマウス部７１bを有し、このプロペラファン７１の少なくとも一部が、熱交換器４と軸方向に重なるように配置されている。【選択図】図１
2017207246.tif 000002
【特許請求の範囲】
【請求項１】
底ベースと、この底ベースと対向するように該底ベースの上方に配置されたシュラウドと、前記底ベースと前記シュラウドとの間に配置された熱交換器と、前記底ベースの上方に配置されプロペラファン及びモーターを有する送風機と、を備える空気調和機の室外機において、
前記プロペラファンは、羽根部と、この羽根部の外周を周方向に囲むように該羽根部の外周に取り付けられたベルマウス部を有し、
このプロペラファンの少なくとも一部が、前記熱交換器と軸方向に重なるように配置されている
ことを特徴とする空気調和機の室外機。
【請求項２】
請求項１に記載の空気調和機の室外機において、
前記プロペラファンは、その全体が、前記熱交換器の上端以下の高さ位置に配置されていることを特徴とする空気調和機の室外機。
【請求項３】
請求項１に記載の空気調和機の室外機において、
前記プロペラファンのベルマウス部は、円筒部と、この円筒部の入口側或いは出口側の少なくとも一方の端部に設けられ、径が拡大する拡大円筒部を有することを特徴とする空気調和機の室外機。
【請求項４】
請求項３に記載の空気調和機の室外機において、
前記プロペラファンのベルマウス部は、前記円筒部における出口側の端部にのみ径が拡大する前記拡大円筒部が設けられていることを特徴とする空気調和機の室外機。
【請求項５】
請求項３に記載の空気調和機の室外機において、
前記プロペラファンのベルマウス部は、前記円筒部の入口側及び出口側の両方の端部に、径が拡大する拡大円筒部が設けられていることを特徴とする空気調和機の室外機。
【請求項６】
請求項３に記載の空気調和機の室外機において、
前記プロペラファンのベルマウス部は、前記円筒部における入口側の端部にのみ径が拡大する前記拡大円筒部が設けられていることを特徴とする空気調和機の室外機。
【請求項７】
請求項１〜６の何れか１項に記載の空気調和機の室外機において、
前記プロペラファンは、前記羽根部と前記ベルマウス部が一体成形されていることを特徴とする空気調和機の室外機。
【請求項８】
請求項７に記載の空気調和機の室外機において、
前記プロペラファンは樹脂製であり、射出成形により一体成形されていることを特徴とする空気調和機の室外機。
【請求項９】
請求項１〜６の何れか１項に記載の空気調和機の室外機において、
前記シュラウドは、シュラウド部と、このシュラウド部の上部に設けられ、プロペラファンから吹出された空気を案内するダクト部を備えることを特徴とする空気調和機の室外機。
【請求項１０】
請求項９に記載の空気調和機の室外機において、
前記ダクト部は、下流側ほど径が拡大された拡大ダクトに構成されていることを特徴とする空気調和機の室外機。
【請求項１１】
請求項１〜６の何れか１項に記載の空気調和機の室外機において、
前記プロペラファンの羽根部は２枚の羽根で構成され、前記ベルマウス部は前記２枚の羽根の外周側を接続して互いに固定するように設けられていることを特徴とする空気調和機の室外機。
【発明の詳細な説明】
【技術分野】
【０００１】
本発明は空気調和機の室外機に係り、特に外気を水平方向から熱交換器に吸込み、筐体上部に設けたプロペラファンにより上方に吹き出すようにした上吹きタイプの室外機に関する。
【背景技術】
【０００２】
空気調和機の室外機の小型化を図ると共に送風性能を向上させるようにしたものとして、例えば、特開２００７−３０９６３２号公報（特許文献１）に記載されたものがある。この特許文献１に記載の空気調和機の室外機は、底ベースと、底ベースの上部に配置される熱交換器と、底ベースに対向して配置されたシュラウドと、このシュラウドに囲われるように配置されたプロペラファンとこのプロペラファンを駆動するモーターとを有する送風機を備えている。
【０００３】
空気調和機の空調能力を向上するための一つの手段としては、室外機のプロペラファンの性能向上を図ることである。プロペラファンの性能を向上させるためには、プロペラファンの羽根の性能を向上させたり、前記プロペラファンの周りを囲むベルマウスの性能向上を図ることにより実現できる。
【０００４】
プロペラファンの羽根の開発は従来から行われており、その羽根の形はモノづくりも考慮されたものであるため、コスト増加を伴うことは少ない。一方、ベルマウスで送風性能の向上を図るためには、特許文献１に記載のようにダクト型ベルマウスを採用することが多い。
【０００５】
また、他の例としては特開２００８−２３２５３６号公報（特許文献２）に記載のように、ダクト型ベルマウスを用いると共に、プロペラファンの外周にリングを設け、前記ベルマウスと前記リングの隙間を逆流する流れを制御して性能向上を図るようにしたものもある。
【先行技術文献】
【特許文献】
【０００６】
【特許文献１】特開２００７−３０９６３２号公報
【特許文献２】特開２００８−２３２５３６号公報
【発明の概要】
【発明が解決しようとする課題】
【０００７】
上述したように、プロペラファンの性能を向上させるために、上記特許文献１や２に記載されているようなダクト型ベルマウスを採用することが知られている。このダクト型ベルマウスは、これと組み合わされるプロペラファンの圧力性能を大幅に向上させることができるが、一方、前記プロペラファンを軸方向に大きく囲う必要があるため、大型になるという課題がある。
【０００８】
また、最近の空気調和機の室外機において採用されているダクト型ベルマウスは、室外機のシュラウドを兼用しているため、特に大型となる。このダクト型ベルマウス兼シュラウドは射出成形により樹脂で製造されることが多く、その射出成形のための金型は大きなものが必要となる。また、成形後のダクト型ベルマウス兼シュラウドは大きなものとなるため、その保管スペースの確保や運搬費用が高くなり、全てにおいてコストが増加するという課題があった。
【０００９】
本発明の目的は、従来のものと同等の高い送風性能が得られ、且つコスト低減を図ることもできる空気調和機の室外機を得ることにある。
【課題を解決するための手段】
【００１０】
上記目的を達成するため、本発明は、底ベースと、この底ベースと対向するように該底ベースの上方に配置されたシュラウドと、前記底ベースと前記シュラウドとの間に配置された熱交換器と、前記底ベースの上方に配置されプロペラファン及びモーターを有する送風機と、を備える空気調和機の室外機において、前記プロペラファンは、羽根部と、この羽根部の外周を周方向に囲むように該羽根部の外周に取り付けられたベルマウス部を有し、このプロペラファンの少なくとも一部が、前記熱交換器と軸方向に重なるように配置されていることを特徴とする。
【発明の効果】
【００１１】
本発明によれば、従来のものと同等の高い送風性能が得られ、且つコスト低減を図ることもできる空気調和機の室外機を得ることができる効果が得られる。
【図面の簡単な説明】
【００１２】
【図１】本発明の空気調和機の室外機の実施例１を示す縦断面図。
【図２】図１に示す室外機の平面図で、シュラウドを取り外して示す図。
【図３】空気調和機の室外機の参考例１を示す縦断面図。
【図４】空気調和機の室外機の参考例２を示す縦断面図。
【図５】本発明の空気調和機の室外機の実施例２を示す要部の拡大断面図。
【図６】本発明の空気調和機の室外機の実施例３を示す要部の拡大断面図。
【図７】本発明の空気調和機の室外機の実施例４を示す要部の拡大断面図。
【図８】本発明の空気調和機の室外機の実施例５を示す要部の拡大断面図。
【発明を実施するための形態】
【００１３】
以下、本発明の空気調和機の室外機の具体的実施例を図面に基づいて説明する。各図において、同一符号を付した部分は同一或いは相当する部分を示している。
【実施例１】
【００１４】
本発明の空気調和機の室外機の実施例１を、図１〜図４を用いて説明する。図１は本発明の空気調和機の室外機の実施例１を示す縦断面図、図２は図１に示す室外機の平面図で、シュラウドを取り外して示す図である。また、図３及び図４は本実施例に対応する参考例を示す図で、図３は空気調和機の室外機の参考例１を示す縦断面図、図４は室外機の参考例２を示す縦断面図である。
【００１５】
本発明の実施例１を説明する前に、本実施例１に対応する参考例としての空気調和機の室外機の例を、図３及び図４を用いて説明する。  
図３は空気調和機の室外機の参考例１を示す図で、外気を水平方向から熱交換器に吸い込み、筐体上部に設けたプロペラファンにより上方に吹き出すようにした上吹きタイプの室外機である。
【００１６】
この参考例１の室外機１は、底ベース２、この底ベース２に対向するように上方に設けられたシュラウド３、前記底ベース２と前記シュラウド３に挟まれるように、それらの間に配設された熱交換器４、前記底ベース２の上に設置された圧縮機５やアキュームレータ６などの冷凍サイクルを構成するための部品（機器）、これらの部品の上方に設けられた送風機７、前記圧縮機５や前記送風機７等を制御するための制御部品などを収納した電気箱８等により構成されている。
【００１７】
前記送風機７は、プロペラファン７１と、このプロペラファン７１を駆動するためのモーター７２等により構成されている。前記送風機７は、前記モーター７２の部分を、モータークランプ７３を介して筐体１０を構成しているステーに固定されている。
【００１８】
前記シュラウド３は、ダクト、ベルマウス及びシュラウドの機能を備えたダクト型ベルマウス兼シュラウド３１に構成され、このダクト型ベルマウス兼シュラウド３１の内周面に前記送風機７のプロペラファン７１が配設されている。
【００１９】
前記熱交換器４は、前記圧縮機５、アキュームレータ６及び電気箱８などの部品を、上から見て囲うようにコの字状に配置されている。なお、１０ａは前ステーである。
【００２０】
この図３に示すように、参考例１のものは、前記送風機７を前記熱交換器４の上端より上方に配置し、プロペラファン７１を前記ダクト型ベルマウス兼シュラウド３１で周りを囲って室外機１を構成している。
【００２１】
このように、図３に示す参考例のものでは、前記ダクト型ベルマウス兼シュラウド３１は、前記熱交換器４上端よりも上方に設置されている前記送風機７全体を囲うため、大型部品となり、コストが増加するという課題がある。
【００２２】
図４は、上吹きタイプの空気調和機の室外機の参考例２を示す縦断面図である。この参考は、熱交換器４の上端の高さ位置以下にプロペラファン７１を配置しているものである。この参考例のものでも、シュラウド３は、ダクト、ベルマウス及びシュラウドの機能を備えたダクト型ベルマウス兼シュラウド３２に構成されている点では上記参考例１と同様である。
【００２３】
この参考例２における前記ダクト型ベルマウス兼シュラウド３２は、シュラウド部３２ａと、ベルマウス部３２ｂと、吹出し拡大ダクト部３２ｃを有し、前記ベルマウス部３２ｂは前記プロペラファン７１の外周側に配置されるように、前記熱交換器４の上端から下方に向かって設けられている。また、前記吹出し拡大ダクト部３２ｃは、開口面積が下流側に向かって拡大するように構成されている。
【００２４】
更に、前記ダクト型ベルマウス兼シュラウド３２は樹脂の一体成形、或いは板金による深絞り成形で製作されるが、どちらで製作しても、ダクト型ベルマウス兼シュラウド３２は深さ（高さ）があるため、コストがかかるという課題がある。
【００２５】
また、シュラウド部３２ａとベルマウス部３２ｂを別々に成形し、その後両者を組み立てて製作することも考えられるが、この場合、前記シュラウド部３２ａは板金製とすることが多く、金属板に大きな円形の穴を開けて製作することになるため、使用する材料（金属板）の歩留まりが悪いという課題がある。更に、前記ベルマウス部３２ｂを別部品として成形する必要があるため、この点からも製造コストがかかるという課題がある。
【００２６】
以上説明した参考例に対する本実施例１の空気調和機の室外機を図１及び図２により説明する。図１は本実施例１の室外機の縦断面図、図２は図１に示す室外機の平面図で、シュラウドを取り外して示す図である。これらの図において、上述した図３、図４と同一符号を付した部分は同一或いは相当する部分を示している。
【００２７】
図１、図２に示すように、本実施例においても、底ベース２に対向するようにシュラウド３が配置され、前記底ベース２の上に圧縮機５やアキュームレータ６等の部品を配置し、前記圧縮機５等の部品の上方には送風機７や電気箱８が配置されている。
【００２８】
前記送風機７は、プロペラファン７１と、このプロペラファン７１を駆動するためのモーター７２等により構成されている。前記送風機７は、前記モーター７２の部分を、モータークランプ７３を介して筐体１０を構成しているステーに固定されている。
【００２９】
前記熱交換器４は、前記圧縮機５、アキュームレータ６及び電気箱８などの部品を、上から見て囲うようにコの字状に配置されている。また、前記シュラウド３は、熱交換器４の上端を覆うように設けられている。
【００３０】
前記プロペラファン７１は、羽根部７１ａと、この羽根部７１ａの外周を周方向に囲むように該羽根部外周に一体に設けられたリング状のベルマウス部７１ｂを有するベルマウス付プロペラファンに構成されている。
【００３１】
前記ベルマウス部７１ｂは、前記羽根部７１ａ外周と接続される円筒部（ダクト部）７１ｂ１と、この円筒部７１ｂ１の入口側に設けられ、上流側に向かって径が拡大する拡大円筒部（入口側Ｒ部）７１ｂ２と、前記円筒部７１ｂ１の出口側に設けられ、下流側に向かって径が拡大する拡大円筒部（出口側Ｒ部）７１ｂ３を有している。
【００３２】
このようなベルマウス部７１ｂを一体に設けたプロペラファン７１とすることにより、図３に示す参考例１とほぼ同等の高い送風性能を得ることができる。即ち、前記ベルマウス部７１ｂを有することにより、前記熱交換器４を通過した空気の流れを、入口側の前記拡大円筒部７１ｂ２からスムーズに前記プロペラファン７１に導くことができる。また、前記円筒部７１ｂ１を有することにより、前記プロペラファン７１で効率良く昇圧して、前記拡大円筒部７１ｂ３から上方へスムーズに送風することができるから、高い送風性能が得られる。
【００３３】
また、本実施例では、前記プロペラファン７１の少なくとも一部（図１に示す例では全体）が、前記熱交換器４と軸方向に重なるように配置されている。即ち、前記熱交換器４の上端側の内面側に前記プロペラファン７１が配置されている。なお、本実施例では、前記プロペラファン７１は、その全体が、前記熱交換器の上端以下の高さ位置に配置されており、前記プロペラファン７１の上端位置と前記熱交換器４の上端位置とは、ほぼ同一高さとなるように構成されている。
【００３４】
上述した本実施例１によれば、前記プロペラファン７１の羽根部７１ａ外周に前記ベルマウス部７２ｂを一体に設けたベルマウス付プロペラファンに構成しているので、上述したように高い送風性能を得ることができると共に、コスト低減を図ることもできる。即ち、前記ベルマウス付プロペラファンを射出成形により、樹脂で容易に一体成形することができ、また、ベルマウス付プロペラファン自体は、図３に示すダクト型ベルマウス兼シュラウド３１のように大きなものではないから、大型の金型は必要なくなる。なお、前記ベルマウス付プロペラファンを製作するために使用される前記樹脂としては、ＡＳ（アクリロニトリルスチレン）系の樹脂や、ＰＰ（ポリプロピレン）系等の樹脂を用いると良い。
【００３５】
更に、図３に示すような大きなダクト型ベルマウス兼シュラウド３１を設けることなく、高い送風性能が得られるから、ダクト型ベルマウス兼シュラウド３１のような大型部品が不要となり、製造コストを大幅に低減できる。また、前記ダクト型ベルマウス兼シュラウド３１のような大型の部品を保管するスペースの確保も不要となり、その運搬費用の低減を図ることもできる。
【００３６】
また、図４に示す参考例２と比較しても、ベルマウス部を有するプロペラファン７１を熱交換器４の上端より下方に配置しているので、室外機１全体の高さを低くすることができ、小型化を図ることができる利点があり、これに伴い、コスト低減を図ることもできる。
【実施例２】
【００３７】
本発明の空気調和機の室外機の実施例２を、図５を用いて説明する。図５は本発明の空気調和機の室外機の実施例２を示す要部の拡大断面図である。図５において、上記図１〜図４と同一符号を付した部分は同一或いは相当する部分であり、本実施例の説明においては、上述した実施例１と異なる部分を中心に説明し、同一部分についての説明を省略する。
【００３８】
図５に示す本実施例２において、上述した実施例１と異なる点は、シュラウド３をシュラウド兼吹出し拡大ダクト３３として構成したものであり、プロペラファン７１をベルマウス付プロペラファンとして構成している点など、他の構成は上記実施例１と同様である。
【００３９】
即ち、本実施例２における前記シュラウド３は、シュラウド部３３ａと、このシュラウド部３３ａの上部に設けられ、プロペラファン７１から吹出された空気を案内するダクト部３３ｂを備え、このダクト部３３ｂは、下流側ほど径が拡大された拡大ダクトに構成されている。
【００４０】
このように、シュラウド３の吹出し側に拡大ダクトを設けると送風機の送風性能の向上につながるため、実施例１よりも送風性能を向上することができる。ただし、本実施例のシュラウドは前記ダクト部３３ｂを有するため、高さが上記実施例１のものより大きくなり、コスト低減効果は小さくなる。
【００４１】
なお、本実施例２の説明では、シュラウド部３３ａとダクト部３３ｂを、射出成形などによる一体成形品で構成している場合の例を図示しているが、前記シュラウド部３３ａと前記ダクト部３３ｂを別々の部品として製作し、これらを組み立てて構成するようにしても良い。
【実施例３】
【００４２】
本発明の空気調和機の室外機の実施例３を、図６を用いて説明する。図６は本発明の空気調和機の室外機の実施例３を示す要部の拡大断面図である。図６において、上記図１〜図４と同一符号を付した部分は同一或いは相当する部分であり、本実施例の説明においても、上述した実施例１と異なる部分を中心に説明し、同一部分についての説明を省略する。
【００４３】
図６に示す本実施例３においても、前記プロペラファン７１が、羽根部７１ａと、この羽根部７１ａの外周を周方向に囲むように該羽根部外周に一体に設けられたリング状のベルマウス部７１ｂを有するベルマウス付プロペラファンに構成している点では、上記実施例１と同じである。また、前記ベルマウス部７１ｂが、前記羽根部７１ａ外周と接続される円筒部７１ｂ１と、この円筒部７１ｂ１の入口側に設けられ、上流側に向かって径が拡大する拡大円筒部７１ｂ２とを有する点でも同じであるが、本実施例３では、上記実施例１における前記円筒部７１ｂ１の出口側に設けられ、下流側に向かって径が拡大する拡大円筒部（出口側Ｒ部）７１ｂ３を有していない点で異なっている。
【００４４】
即ち、本実施例３におけるプロペラファン７１は、そのベルマウス部７１ｂを、円筒部（ダクト部）７１ｂ１と、この円筒部７１ｂ１の入口側に設けられ、上流側に向かって径が拡大する拡大円筒部（入口側Ｒ部）７１ｂ２により構成されていることが特徴である。
【００４５】
また、本実施例３では、前記シュラウド３は、シュラウド部３４ａと、このシュラウド部３４ａの上部（上面）に設けられ、プロペラファン７１から吹出された空気を案内するダクト部３４ｂを備えている点では上記実施例２と同様である。但し、本実施例３におけるシュラウド３は、前記ダクト部３４ｂが、前記プロペラファン７１の径（即ち、ベルマウス部７１ｂの外径）より大きい径の円筒形状に構成されているシュラウド兼円筒型ダクト３４に構成されていることが特徴である。
【００４６】
このように、プロペラファン７１の径より大きい径の円筒形状に構成されている前記ダクト部３４ｂを備えることにより、前記プロペラファン７１の吹出し側の流路を拡大することができるので、送風機７の送風性能を向上することができる。
【００４７】
なお、本実施例３では、前記プロペラファン７１のベルマウス部７１ｂを、円筒部７１ｂ１と入口側の拡大円筒部７１ｂ２で構成し、上記実施例１のように出口側の拡大円筒部７１ｂ３を省略しているので、例えば、前記プロペラファン７１を樹脂による射出成形で製作する場合、その金型は、ファンの軸方向に沿って抜くことができる分割金型とすれば良く、２分割の金型で前記プロペラファンを製作することができ、製造コストを低減できる。
【００４８】
即ち、上記実施例１のプロペラファン７１は、入口側と出口側の前記拡大円筒部７１ｂ２，７１ｂ３の間にある円筒部７１ｂ１に対応する分割金型については、プロペラファン７１の軸方向に抜くことはできず、この部分の分割金型に対しては径方向のスライド型とする必要がある。従って、前記金型を、少なくとも上下２分割で且つ径方向２分割の４分割金型を用いる必要がある。これに対し、本実施例３のプロペラファン７１の構成とすることにより、２分割の金型でプロペラファンを製作することができるので、製造コストの低減を図ることができる。
【００４９】
なお、本実施例３は、前記ベルマウス部７１ｂの出口側の拡大円筒部７１ｂ３を省略した分、前記実施例１、２のものより、プロペラファン７１の送風性能が劣る。しかし、本実施例３は、プロペラファン７１の出口側に、該プロペラファン７１の径（ベルマウス外径）より大きい径のダクト部３４ｂを配置し、プロペラファン７１の吹出し側の流路が拡大するよう構成している。従って、プロペラファン７１の吹出し側に流路拡大部を設けることになり、送風機の送風性能を向上することができるから、前記出口側の拡大円筒部７１ｂ３を省略したことによる送風性能の低下分をカバーすることができる。
【００５０】
なお、本実施例は前記ダクト部３４ｂの形状を、吹出し側の流路が急拡大するように構成しているが、上記実施例２のダクト部３３ｂのように、前記ダクト部３４ｂを、下流側ほど径が拡大された拡大ダクト（テーパ形状の拡大ダクト）に構成しても良い。
【実施例４】
【００５１】
本発明の空気調和機の室外機の実施例４を、図７を用いて説明する。図７は本発明の空気調和機の室外機の実施例４を示す要部の拡大断面図である。図７において、上記図１〜図４と同一符号を付した部分は同一或いは相当する部分であり、本実施例の説明においても、上述した実施例１と異なる部分を中心に説明し、同一部分についての説明を省略する。
【００５２】
図７に示す本実施例４においても、前記プロペラファン７１が、羽根部７１ａと、この羽根部７１ａの外周を周方向に囲むように該羽根部外周に一体に設けられたリング状のベルマウス部７１ｂを有するベルマウス付プロペラファンに構成している点では、上記実施例１と同じである。また、前記ベルマウス部７１ｂが、円筒部７１ｂ１と、この円筒部７１ｂ１の入口側に設けられ、上流側に向かって径が拡大する拡大円筒部７１ｂ２と、前記円筒部７１ｂ１の出口側に設けられ、下流側に向かって径が拡大する拡大円筒部７１ｂ３を有する点でも実施例１と同様である。本実施例４が、上記実施例１と異なる点は、プロペラファン７１の下流側（ベルマウス７１ｂの出口側拡大円筒部側）を、熱交換器４の上端部よりも上方に突き出るように配置したものである。また、回転体であるプロペラファン７１の上部が室外機１の外に突き出た構造となるので、安全のために保護網１２を、前記プロペラファン７１の上部を覆うようにシュラウド３に設置している。
【００５３】
本実施例４においては、前記プロペラファン７１のベルマウス部７１ｂの出口側に拡大円筒部（出口側Ｒ部）７１ｂ３を有するので、前記拡大円筒部７１ｂ３は、プロペラファン７１の吹出し側に流路拡大部を設けたものと同様の役割をする。従って、前記シュラウド３に、上記実施例２や３に示すような、吹出し流路を拡大するダクト部３３ｂ，３４ｂを設けなくとも送風性能を確保することができるので、低コストに製作できる効果がある。
また、前記保護網１２を配置しているので、プロペラファン７１が突き出た構造であっても安全性を維持できる効果もある。
【実施例５】
【００５４】
本発明の空気調和機の室外機の実施例５を、図８を用いて説明する。図８は本発明の空気調和機の室外機の実施例５を示す要部の拡大断面図である。図８において、上記図１〜図４と同一符号を付した部分は同一或いは相当する部分であり、本実施例の説明においても、上述した実施例１と異なる部分を中心に説明し、同一部分についての説明を省略する。
【００５５】
図８に示す本実施例５においても、前記プロペラファン７１が、羽根部７１ａと、この羽根部７１ａの外周を周方向に囲むように該羽根部外周に一体に設けられたリング状のベルマウス部７１ｂを有するベルマウス付プロペラファンに構成している点では、上記実施例１と同じである。また、前記ベルマウス部７１ｂが、前記羽根部７１ａ外周と接続される円筒部（ダクト部）７１ｂ１と、この円筒部７１ｂ１の出口側に設けられ、下流側に向かって径が拡大する拡大円筒部（出口側Ｒ部）７１ｂ３とを有する点でも同じである。しかし、本実施例５では、上記実施例１における前記円筒部７１ｂ１の入口側に設けられ、上流側に向かって径が拡大する拡大円筒部（入口側Ｒ部）７１ｂ２を有していない点で異なっている。
【００５６】
即ち、本実施例５におけるプロペラファン７１は、そのベルマウス部７１ｂを、円筒部７１ｂ１と、この円筒部７１ｂ１の出口側に設けられ、下流側に向かって径が拡大する拡大円筒部７１ｂ３により構成されていることが特徴の一つである。
【００５７】
また、本実施例５においては、前記プロペラファン７１の下流側（ベルマウス７１ｂの出口側拡大円筒部側）を、熱交換器４の上端部よりも上方に突き出るように配置している点では上記実施例４と同様である。
【００５８】
更に、本実施例５では、上記実施例２と同様に、シュラウド３をシュラウド兼吹出し拡大ダクト３５として構成したものであり、前記シュラウド３は、シュラウド部３５ａと、このシュラウド部３５ａの上部に設けられ、前記プロペラファン７１から吹出された空気を案内するダクト部３５ｂを備え、このダクト部３５ｂは、下流側ほど径が拡大された拡大ダクトに構成されている。なお、本実施例では前記ダクト部３５ｂは、シュラウド部３５ａの上面に取り付けて設置しているが、上記実施例２と同様に、前記シュラウド部３５ａと前記ダクト部３５ｂを樹脂の射出成形による一体成形により構成するようにしても良い。
【００５９】
このように、前記ダクト部３５ｂを、下流側ほど径が拡大された拡大ダクトに構成されているので、送風機の送風性能の向上を図ることができ、上記実施例２と同様に送風性能を向上することができる。
【００６０】
また、本実施例５は、上記実施例４と同様に、プロペラファンの出口側が熱交換器上端よりも上方に配置すると共に、更に、前記ベルマウス部７１ｂの出口側拡大円筒部７１ｂ３の流路拡大方向に合わせて、下流側ほど径が拡大された前記ダクト部３５ｂを設置しているので、上記実施例４と比較して、より吹出し側の流れのロスを低減でき、これにより送風性能を更に向上できる効果がある。
【００６１】
また、本実施例５のプロペラファン７１は、ベルマウス部７１ｂを、円筒部７１ｂ１と出口側の拡大円筒部７１ｂ３により構成しているので、図６に示す実施例３と同様に、２分割の金型でプロペラファンを製作することができ、製造コストの低減を図ることができる。
【００６２】
更に、本実施例におけるプロペラファン７１は、図８に示すように、シュラウド３を取り外すことなく、室外機１の上方からベルマウス付のプロペラファン７１の着脱が可能であり、プロペラファン７１の故障時やメンテナンス時に、前記プロペラファン７１を取り外す作業を大幅に軽減することができる効果も得られる。
【００６３】
以上説明した本発明の各実施例によれば、従来のものとほぼ同等の高い送風性能が得られると共に、シュラウド等の小型化によるコスト低減を図ることもできる空気調和機の室外機を得ることができる。
【００６４】
なお、上吹きタイプの室外機に使用されるプロペラファンなどにおいて、プロペラファンの高さ方向の寸法に制限を設けずに、羽根枚数を２枚にしたプロペラファンに構成すると、羽根枚数を３枚以上としたプロペラファンに対し、より送風性能を向上できることが知られている。しかし、２枚の羽根で構成されたプロペラファンは強度上の課題がある。
【００６５】
即ち、プロペラファンを２枚の羽根で構成すると、１枚当たりの羽根の質量が、３枚以上の羽根の場合より増加する。また、プロペラファンの羽根は、回転中には水平になろうとするが、羽根が２枚であるため各羽根の重量が重く、このためモーターにより回転され羽根を支えるボスと、このボスに接合される前記羽根との接合部（羽根の付け根部）に、回転中大きな力がかかってしまう。従って、３枚以上の羽根を有するプロペラファンよりも、２枚羽根のプロペラファンの方が強度は低くなるため、２枚羽根のプロペラファンの採用は難しいという課題がある。
【００６６】
また、２枚羽根のプロペラファンを採用するため、従来は、ボスと羽根の結合部の板厚を厚くし、羽根が水平になろうとする力に対して強度を確保することも試行されている。しかし、ボスと羽根の結合部の板厚を厚くするものは、樹脂の射出成形で製作するには不向きであり、その厚くした部分に大きなヒケ（厚いものを射出成形すると、内部の冷却を十分できないため、次第に熱収縮することにより生じる窪み等）が発生し易いため、厚い部分の冷却に十分な時間をかける必要があり、製造コストが増加する課題がある。
【００６７】
このような２枚羽根のプロペラファンに対して、上述したベルマウス付プロペラファンの構造を採用すると効果的である。即ち、２枚の羽根の外周を周方向に囲むように羽根外周に一体にベルマウス部を設けた構成にすると、２枚の羽根の外周側が前記ベルマウス部により互いに連結された状態となるため、プロペラファンの強度が向上し、羽根が水平になろうとする変形を抑制することができる。つまり、従来の２枚羽根プロペラファンは、羽根が片持ち梁の構造になっているため、強度が小さいという課題があったが、ベルマウス付の２枚羽根プロペラファンとすることにより、ボスと羽根の結合部にかかる力が軽減される。従って、十分な強度を持ち、送風性能を更に向上することのできる２枚羽根プロペラファンを容易に実現できる。
【００６８】
また、ベルマウス付の２枚羽根プロペラファンを、上述した各実施例の空気調和機の室外機に採用することにより、送風機の送風性能を更に向上でき、空気調和機の室内機の性能を更に向上することが可能となる。
【００６９】
なお、本発明は上述した実施例に限定されるものではなく、様々な変形例が含まれる。また、ある実施例の構成の一部を他の実施例の構成に置き換えることが可能であり、ある実施例の構成に他の実施例の構成を加えることも可能である。  
更に、上記した実施例は本発明を分かりやすく説明するために詳細に説明したものであり、必ずしも説明した全ての構成を備えるものに限定されるものではない。  
また、各実施例の構成の一部について、他の構成の追加・削除・置換をすることが可能である。
【符号の説明】
【００７０】
１：室外機、２：底ベース、
３：シュラウド、３１，３２：ダクト型ベルマウス兼シュラウド、
３３：シュラウド兼吹出し拡大ダクト、３３ａ：シュラウド部、３３ｂ：ダクト部、
３４：シュラウド兼円筒型ダクト、３４ａ：シュラウド部、３４ｂ：ダクト部、
４：熱交換器、５：圧縮機、６：アキュームレータ、
７：送風機、７１：プロペラファン、７１ａ：羽根部、
７１ｂ：ベルマウス部、７１ｂ１：円筒部、
７１ｂ２：入口側の拡大円筒部（入口側Ｒ部）、
７１ｂ３：出口側の拡大円筒部（出口側Ｒ部）、
７２：モーター、７３：モータークランプ、
８：電気箱、
１０：筐体、１０ａ：前ステー、
１１：室外機を通過する空気の流れ
１２：保護網。
【図１】
2017207246.tif 000003
【図２】
2017207246.tif 000004
【図３】
2017207246.tif 000005
【図４】
2017207246.tif 000006
【図５】
2017207246.tif 000007
【図６】
2017207246.tif 000008
【図７】
2017207246.tif 000009
【図８】
2017207246.tif 000010